(57)【要約】【目的】  ヒンジ機構の位置決めを容易に行うことができるようにして、遊技機の製造工程および組立工程を簡略化し、コスト低減を図るとともに、資源の有効利用を図る。【構成】  前面扉２にヒンジ機構１００を介して腰部パネル３を開閉可能に取り付ける。ヒンジ機構１００は、回転軸１０１と、腰部パネル３に取り付けられて回転軸１０１を係止する回転軸係止部材１０２と、前面扉２に設けられて回転軸１０１の先端部を挿脱可能に軸支する軸支部１２０と、回転軸係止部材１０２の取り付け位置を規制するとともに、回転軸係止部材１０２を腰部パネル３に係着する位置規制係着部材（位置決め孔１０５，１０６、ボス部１０８，１０９、位置決め突起１０８ａ，１０９ａ）とを備える。【選択図】          図１
2005211458.tif 000002
【特許請求の範囲】
【請求項１】
筐体本体にヒンジ機構を介して開閉可能に取り付けられた扉部材を有する遊技機において、
前記ヒンジ機構は、
回転軸と、
前記筐体本体または前記扉部材のいずれか一方に取り付けられ、前記回転軸を係止する回転軸係止部材と、
前記筐体本体または前記扉部材のいずれか他方に設けられ、前記回転軸の先端部を挿脱可能に軸支する軸支部と、
前記回転軸係止部材の取り付け位置を規制するとともに、前記回転軸係止部材を前記筐体本体または前記扉部材のいずれか一方に係着する位置規制係着部材とを備えたことを特徴とする遊技機。
【請求項２】
前記位置規制係着部材は、
前記回転軸係止部材を取り付ける前記筐体本体または前記扉部材のいずれか一方に設けられ、先端部を縮径させて位置決め突起とした少なくとも２以上のボス部と、
前記回転軸係止部材を前記各ボス部に取り付ける取付部材と、
前記回転軸係止部材に設けられ、前記位置決め突起に係合するとともに、前記取付部材を挿通可能な位置決め孔とからなることを特徴とする請求項１記載の遊技機。
【請求項３】
前記回転軸の先端部を前記軸支部へ向かって付勢する付勢部材を備えたことを特徴とする請求項１または２記載の遊技機。
【発明の詳細な説明】
【技術分野】
【０００１】
本発明は、筐体本体にヒンジ機構を介して開閉可能に取り付けられた扉部材を有する遊技機に関する。
【背景技術】
【０００２】
従来、パチスロ遊技機に代表される遊技機は、筐体本体の前面に前面扉が開閉可能に取り付けられており、前面扉を開くことにより筐体本体内に収容した機器のメンテナンス等を行うことができるようになっている。
【０００３】
また、パチスロ遊技機では、前面扉の下部に腰部パネルが取り付けられている。この腰部パネルは透光性を有する絵柄シートを備えており、筐体本体内に配設した蛍光灯等の照明装置により絵柄シートを透過照明するようになっている（例えば、特許文献１参照）。
【０００４】
近年、コスト低減や資源の有効利用を図るために、新機種の導入や機種の入れ替えを行う際に、筐体本体は旧機種のものをそのまま利用し、遊技機内部に収容される機械部品のみを交換することが考えられるようになってきた。この際、機種毎に使用されているキャラクタ等が異なるため、絵柄シートを新しく取り替える必要がある。したがって、絵柄シートを容易に交換することができれば、新機種の導入や機種の入れ替えに要するコストを低減することができる。
【０００５】
そこで、本願出願人は、前面扉に対して腰部パネルを開閉可能として、前面扉から腰部パネルを容易に着脱することが可能な遊技機を既に開発している。ここで、前面扉に対して腰部パネルを開閉可能とするためには、前面扉と腰部パネルとの間にヒンジ機構を設ける必要がある。
【０００６】
図６を参照して、従来のヒンジ機構を説明する。図６は、従来のパチスロ遊技機に用いるヒンジ機構の分解斜視図である。
【０００７】
従来のパチスロ遊技機に用いるヒンジ機構２００は、図６に示すように、回転軸係止部材２０２を用いて腰部パネル（図示せず）に回転軸２０１を係止し、前面扉（図示せず）に設けた軸支部（図示せず）に回転軸２０１の先端部を挿脱可能とすることにより、前面扉と腰部パネルを係脱することができるようになっている。
【０００８】
さらに詳しく説明すると、回転軸係止部材２０２は板状の部材で、一側部に回転軸２０１を挿通する回転軸挿通部２０３を設け、ほぼ中央部に２つのネジ挿通孔２０５，２０６を開設し、両ネジ挿通孔２０５，２０６の間に位置決め孔２１２を開設し、他側部にバネ係止部２０４を設けてある。
【０００９】
回転軸２０１は、軸部２０１ｂと、軸部２０１ｂの一端に設けた操作部２０１ａとからなり、全体として断面略Ｌ字状となっている。この回転軸２０１は、軸部２０１ｂを回転軸挿通部２０３に挿通することにより回転軸係止部材２０２に取り付けられる。また、操作部２０１ａと回転軸係止部材２０２のバネ係止部２０４との間に弦巻バネ２０７が掛け渡されており、弦巻バネ２０７の付勢力により、軸部２０１ｂの先端部が軸支部（図示せず）へ向かって付勢されている。
【００１０】
また、腰部パネルには、回転軸係止部材２０２のネジ挿通孔２０５，２０６に対向する位置にそれぞれボス部２０８，２０９を設け、両ボス部２０８，２０９の間に位置決め突起２１３を設けてある。
【００１１】
また、ボス部２０８，２０９および位置決め突起２１３を挟んで両側には、回転軸係止部材２０２の両側部に当接する壁部２１４，２１５をそれぞれ設けてある。
【００１２】
回転軸係止部材２０２を腰部パネルに取り付けるには、位置決め孔２１２内に位置決め突起２１３の先端部を挿通するとともに、ボス部２０８，２０９に設けたネジ穴２０８ａ，２０９ａとネジ挿通孔２０５，２０６とを合致させて、ネジ挿通孔２０５，２０６とネジ穴２０８ａ，２０９ａに一連にネジ２１０，２１１を挿通してネジ２１０，２１１の先端部をネジ穴２０８ａ，２０９ａ内に螺着すればよい。この際、位置決め孔２１２内に位置決め突起２１３を係合させるとともに、腰部パネルに設けた壁部２１４，２１５を回転軸係止部材２０２の両側部にそれぞれ当接させることにより、回転軸係止部材２０２の取付位置が規制される。
【００１３】
【特許文献１】特開２００１−１４９５２６号公報
【発明の開示】
【発明が解決しようとする課題】
【００１４】
上述したように、従来のヒンジ機構は、前面扉に対する腰部パネルの取付精度を高めるために複雑な位置決め機構を備えている。
【００１５】
すなわち、前面扉に対して腰部パネルを開閉可能とするには、腰部パネルのがたつきを防止して開閉を円滑に行う必要があるが、従来のヒンジ機構を用いた場合には、腰部パネルに１対の壁部と位置決め突起を設けるとともに、回転軸係止部材に位置決め孔を開設しなければならなかった。
【００１６】
そこで、コスト低減や資源の有効利用を図るためには、ヒンジ機構を簡略化するための更なる工夫が必要となっている。また、筐体本体と前面扉との間に設けたヒンジ機構についても同様な工夫が必要である。
【００１７】
本発明は、上述した事情に鑑み提案されたもので、ヒンジ機構の位置決めを容易に行うことができるようにして、製造工程および組立工程を簡略化し、コスト低減を図るとともに、資源の有効利用を図ることが可能な遊技機を提供することを目的とする。
【課題を解決するための手段】
【００１８】
本発明の遊技機は、上述した目的を達成するため、以下の特徴点を備えている。
すなわち、本発明の遊技機は、筐体本体（例えば筐体本体１に開閉可能に取り付けた前面扉２）にヒンジ機構（１００）を介して開閉可能に取り付けられた扉部材（例えば腰部パネル３）を有する遊技機（例えばパチスロ遊技機）において、
前記ヒンジ機構（１００）は、
回転軸（１０１）と、
前記筐体本体（筐体本体１に開閉可能に取り付けた前面扉２）または前記扉部材（腰部パネル３）のいずれか一方に取り付けられ、前記回転軸（１０１）を係止する回転軸係止部材（１０２）と、
前記筐体本体（筐体本体１に開閉可能に取り付けた前面扉２）または前記扉部材（腰部パネル３）のいずれか他方に設けられ、前記回転軸（１０１）の先端部を挿脱可能に軸支する軸支部（１２０）と、
前記回転軸係止部材（１０２）の取り付け位置を規制するとともに、前記回転軸係止部材（１０２）を前記筐体本体（筐体本体１に開閉可能に取り付けた前面扉２）または前記扉部材（腰部パネル３）のいずれか一方に係着する位置規制係着部材（例えば位置決め孔１０５，１０６、ボス部１０８，１０９、位置決め突起１０８ａ，１０９ａ）とを備えたことを特徴とするものである。
【００１９】
なお、筐体本体とは、筐体本体（１）のみならず、この筐体本体（１）に開閉可能に取り付けられた前面扉（２）も含むものとする。また、扉部材とは、遊技機の筐体に開閉可能に取り付けられた部材の全てを含むものとし、例えば前面扉２および腰部パネル３が扉部材となる。
【００２０】
また、本発明の遊技機は、前記特徴点に加えて、前記位置規制係着部材は、
前記回転軸係止部材（１０２）を取り付ける前記筐体本体（筐体本体１に開閉可能に取り付けた前面扉２）または前記扉部材（腰部パネル３）のいずれか一方に設けられ、先端部を縮径させて位置決め突起（１０８ａ，１０９ａ）とした少なくとも２以上のボス部（１０８，１０９）と、
前記回転軸係止部材（１０２）を前記各ボス部（１０８，１０９）に取り付ける取付部材（例えばネジ１１０，１１１）と、
前記回転軸係止部材（１０２）に設けられ、前記位置決め突起（１０８ａ，１０９ａ）に係合するとともに、前記取付部材（ネジ１１０，１１１）を挿通可能な位置決め孔（１０５，１０６）とからなることを特徴とするものである。
【００２１】
また、本発明の遊技機は、前記特徴点に加えて、前記回転軸（１０１）の先端部を前記軸支部（１２０）へ向かって付勢する付勢部材（例えば弦巻バネ１０７）を備えたことを特徴とするものである。
【発明の効果】
【００２２】
本発明の遊技機は、ヒンジ機構を用いて筐体本体に扉部材が開閉可能に取り付けられるが、この際、ヒンジ機構の一構成部材である回転軸係止部材は、位置規制係着部材により取付位置が規制される。また、この位置規制係着部材は、従来の位置決め機構と比較して簡略な構造となっている。
【００２３】
したがって、簡略な構造の位置規制係着部材によりヒンジ機構の位置決めを容易に行うことができるため、遊技機の製造工程および組立工程が簡略化し、コスト低減を図るとともに、資源の有効利用を図ることが可能となる。
【発明を実施するための最良の形態】
【００２４】
以下、図面を参照して、本発明の遊技機の一実施形態を説明する。
＜パチスロ遊技機＞
図３〜図５は、代表的な遊技機であるパチスロ遊技機を示すもので、図３はパチスロ遊技機の正面図、図４は前面扉を開いた状態のパチスロ遊技機の斜視図、図５は前面扉を開いた状態のパチスロ遊技機の一部拡大斜視図である。
【００２５】
本発明の実施形態に係るパチスロ遊技機は、図３〜図５に示すように、筐体本体１の前面に前面扉２が開閉可能に取り付けられており、前面扉２には、その前面のほぼ中央より上部に、筐体本体１内に配設した回転リール７ａ，７ｂ，７ｃの表面が臨む正面パネル６が配設されている。また、正面パネル６の下方の前面扉２には、ベットボタン９ａ、マックスベットボタン９ｂ、メダル投入口８、スタートレバー１０、３個のストップボタン１１ａ，１１ｂ，１１ｃ、操作パネル１２が配設されている。
【００２６】
さらに、スタートレバー１０等の下方に位置する前面扉２には、腰部パネル３が開閉可能に取り付けられており、腰部パネル３の下方に位置する前面扉２には、メダル払出口１５に臨むようにしてメダル受皿４が配設されている。
【００２７】
なお、正面パネル６の表面には、回転リール７ａ，７ｂ，７ｃの表面を透過表示可能な大型の液晶表示装置（図示せず）が取り付けられている。
【００２８】
＜腰部パネル＞
腰部パネル３は、図４および図５に示すように、ヒンジ機構１００を用いて前面扉２に開閉可能に取り付けられている。また、腰部パネル３の上面には、絵柄シート挿脱口１３が設けられており、この絵柄シート挿脱口１３を介して絵柄シート（図示せず）を出し入れすることができる。
【００２９】
さらに、前面扉２の前面にはＬＥＤ等の照明部材１６が設けられており、この照明部材により、腰部パネル３の内部側から絵柄シートが透過照明されるようになっている。
【００３０】
また、前面扉２の前面には、腰部パネル３の透音孔に臨むようにして左右一対のスピーカ１４ａ，１４ｂが配設されている。なお、図３に示すように、前面扉２の上部に設けた装飾パネル５に、複数のスピーカを配設してもよい。
【００３１】
また、図５に示すように、腰部パネル３の回転支持側（図５において左側）の上面には支持突起１３０が設けられており、前面扉２に設けた支持穴（図示せず）に支持突起１３０を挿入することにより、腰部パネル３の上側が前面扉２に回転可能に支持される。
【００３２】
なお、腰部パネル３の下側は、ヒンジ機構１００により前面扉２に開閉可能に支持される。すなわち、図５に示すように、腰部パネル３の回転支持側（図５において左側）の下部にヒンジ機構１００が取り付けられており、前面扉２には、ヒンジ機構１００に対向する位置に軸支部１２０が設けられている。そして、前面扉２に設けた軸支部１２０内に回転軸１０１（図１参照）の軸部１０１ｂ（図１参照）の先端部を挿入することにより、腰部パネル３の下側が前面扉２に回転可能に支持される。
【００３３】
＜ヒンジ機構＞
次に、本発明の主要な構成要素であるヒンジ機構１００について説明する。
図１および図２は、本発明の実施形態に係るパチスロ遊技機に用いるヒンジ機構を示すもので、図１はヒンジ機構の分解斜視図、図２（ａ）はヒンジ機構の一部縦断面図、図２（ｂ）はボス部の一部縦断面図である。
【００３４】
本発明のパチスロ遊技機に用いるヒンジ機構１００は、図１に示すように、回転軸１０１と、腰部パネル３の内部側に取り付けられて回転軸１０１を係止する回転軸係止部材１０２と、筐体本体１に設けられて回転軸１０１の軸部１０１ｂの先端部を挿脱可能に軸支する軸支部１２０（図５参照）と、回転軸係止部材１０２の取り付け位置を規制するとともに、回転軸係止部材１０２を前面扉２に係着する位置規制係着部材（位置決め孔１０５，１０６、ボス部１０８，１０９、位置決め突起１０８ａ，１０９ａ）とを備えている。
【００３５】
回転軸係止部材１０２は板状の部材で、一側部に回転軸１０１を挿通する回転軸挿通部１０３を設け、ほぼ中央部に２つの位置決め孔１０５，１０６を開設してある。なお、位置決め孔１０５，１０６は、ネジ１１０，１１１のネジ部１１０ａ，１１１ａを挿通するネジ挿通孔としても機能する。
【００３６】
回転軸１０１は、軸部１０１ｂと、軸部１０１ｂの一端に設けた操作部１０１ａとからなり、全体として断面略Ｌ字状となっている。この回転軸１０１は、軸部１０１ｂを回転軸挿通部１０３に挿通することにより回転軸係止部材１０２に取り付けられる。また、操作部１０１ａと回転軸係止部材１０２に設けたバネ係止部１０４との間には、付勢部材として機能する弦巻バネ１０７が掛け渡されており、弦巻バネ１０７の付勢力により、軸部１０１ｂの先端部が軸支部１２０へ向かって付勢されている。
【００３７】
また、腰部パネル３には、回転軸係止部材１０２の位置決め孔１０５，１０６に対向する位置に、それぞれボス部１０８，１０９が設けられている。このボス部１０８，１０９の先端部は、図１および図２（ａ），（ｂ）に示すように、基端部よりも縮径されて、位置決め孔１０５，１０６が係合する位置決め突起１０８ａ，１０９ａとなっている。すなわち、位置決め突起１０８ａ，１０９ａの外周径は、位置決め孔１０５，１０６の内周径よりも僅かに小さくなっており、位置決め孔１０５，１０６内に位置決め突起１０８ａ，１０９ａを係合させることにより、回転軸係止部材１０２の取付位置が規制される。
【００３８】
各ボス部１０８，１０９は、図２（ｂ）に示すように、先端部から基端部に向かってネジ穴１０８ｂが設けられている。なお、ネジ穴１０８ｂの上端部は、ネジ１１０の基端部に設けた拡径部１１０ａが係合する座繰り部１０８ｃとなっている。また、図２（ｂ）では図示していないが、ボス部１０９にも同様に、ネジ穴、およびネジ１１１の基端部に設けた拡径部１１１ａが係合する座繰り部が設けられている。
【００３９】
また、本実施形態では、回転軸係止部材１０２を各ボス部１０８，１０９に取り付けるための取付部材としてネジ１１０，１１１が用いられているが、取付部材はネジに限られず、例えばワンタッチの係止部材等を用いることもできる。
【００４０】
回転軸係止部材１０２を腰部パネル３に取り付けるには、位置決め孔１０５，１０６内に位置決め突起１０８ａ，１０９ａを係合させ、位置決め孔１０５，１０６とボス部１０８，１０９のネジ穴に一連にネジ１１０，１１１を挿通し、ネジ１１０，１１１の先端部をボス部１０８，１０９のネジ穴内に螺着すればよい。
【００４１】
本実施形態では、２つのボス部１０８，１０９を設けることにより、回転軸係止部材１０２がボス部１０８（１０９）を中心として回転することを防止している。なお、ボス部の数は少なくとも２つあればよく、３つ、４つ等であってもよい。この場合には、ボス部に対応させて回転軸係止部材に位置決め孔が設けられる。
【００４２】
＜腰部パネルの着脱＞
腰部パネル３を前面扉２に取り付けるには、まず、腰部パネル３の上面に設けた支持突起１３０（図５参照）を、前面扉２に設けた支持穴（図示せず）に挿入する。そして、弦巻バネ１０７の付勢力に抗して回転軸１０１の操作部１０１ａを上側に引き上げ、軸部１０１ｂを回転軸挿通部１０３内に引き込む。この状態で、前面扉２に設けた軸支部１２０に軸部１０１ｂの先端部を合致させ、操作部１０１ａを上側に引き上げていた力を緩めると、弦巻バネ１０７の付勢力により軸部１０１ｂが回転軸挿通部１０３内から突出して軸支部１２０内に挿入され、腰部パネル３が前面扉２に回転可能に支持される。
【００４３】
一方、前面扉２から腰部パネル３を取り外すには、弦巻バネ１０７の付勢力に抗して回転軸１０１の操作部１０１ａを上側に引き上げ、軸部１０１ｂの先端部を軸支部１２０内から引き抜く。この状態で、前面扉２に設けた支持穴（図示せず）から、支持突起１３０（図５参照）を引き抜くことにより、前面扉２から腰部パネル３を取り外すことができる。
【００４４】
＜他の実施形態＞
上記実施形態では、代表的な遊技機としてパチスロ遊技機を例に挙げて説明したが、本発明は、筐体本体にヒンジ機構を介して開閉可能に取り付けられた扉部材を有する遊技機であればどのような遊技機にも適用することができ、例えば、パチンコ機、スロットマシン、アレンジボール遊技機、ゲームマシン等の他の遊技機に適用することができる。
【００４５】
また、上記実施形態では、腰部パネルにボス部を設けて回転軸係止部材を取り付けるとともに、前面扉に軸支部を設けているが、前面扉にボス部を設けて回転軸係止部材を取り付けるとともに、腰部パネルに軸支部を設けてもよい。
【００４６】
また、上記実施形態のヒンジ機構を用いる箇所は、前面扉と腰部パネルとの間だけではなく、筐体本体と前面扉の間等、他の扉部材にも適用することができる。
【図面の簡単な説明】
【００４７】
【図１】本発明の実施形態に係るパチスロ遊技機に用いるヒンジ機構の分解斜視図
【図２】本発明の実施形態に係るパチスロ遊技機に用いるヒンジ機構の一部縦断面図
【図３】本発明の実施形態に係るパチスロ遊技機の正面図
【図４】前面扉を開いた状態のパチスロ遊技機の斜視図
【図５】前面扉を開いた状態の本発明の実施形態に係るパチスロ遊技機の一部拡大斜視図
【図６】従来の遊技機に用いるヒンジ機構の分解斜視図
【符号の説明】
【００４８】
１  筐体本体
２  前面扉
３  腰部パネル
４  メダル受皿
５  装飾パネル
６  正面パネル
７ａ〜７ｃ  回転リール
８  メダル投入口
９ａ  ベットボタン
９ｂ  マックスベットボタン
１０  スタートレバー
１１ａ〜１１ｃ  ストップボタン
１２  操作パネル
１３  絵柄シート挿脱口
１４ａ，１４ｂ  スピーカ
１５  メダル払出口
１６  照明部材
１００  ヒンジ機構
１０１  回転軸
１０１ａ  操作部
１０１ｂ  軸部
１０２  回転軸係止部材
１０３  回転軸挿通部
１０４  バネ係止部
１０５  位置決め孔
１０６  位置決め孔
１０７  弦巻バネ
１０８  ボス部
１０８ａ  位置決め突起
１０８ｂ  ネジ穴
１０８ｃ  座繰り部
１０９  ボス部
１０９ａ  位置決め突起
１１０  ネジ
１１０ａ  拡径部
１１１  ネジ
１２０  軸支部
１３０  支持突起
２００  従来のヒンジ機構
２０１  回転軸
２０１ａ  操作部
２０１ｂ  軸部
２０２  回転軸係止部材
２０３  回転軸挿通部
２０４  バネ係止部
２０５  ネジ挿通孔
２０６  ネジ挿通孔
２０７  弦巻バネ
２０８  ボス部
２０８ａ  ネジ穴
２０９  ボス部
２０９ａ  ネジ穴
２１０  ネジ
２１１  ネジ
２１２  位置決め孔
２１３  位置決め突起
２１４  壁部
２１５  壁部
【図１】
2005211458.tif 000003
【図２】
2005211458.tif 000004
【図３】
2005211458.tif 000005
【図４】
2005211458.tif 000006
【図５】
2005211458.tif 000007
【図６】
2005211458.tif 000008